(57)【要約】 【課題】  呼び出し要求のあった合成画像の一部に著作権保護付画像があった場合、何故呼び出し要求合成画像が表示されないのかを知らせるメッセージを表示することができるようにすること。【解決手段】  撮影した画像にダウンロードした画像を合成し、これを記憶する際に、この合成画像のダウンロード画像部分に著作権が付いている場合は、この合成画像を構成する撮影画像とダウンロード画像を別々の記憶領域に格納し、前記ダウンロード画像部分に著作権が付いていない場合は、合成画像を一つの記憶領域に格納する。前記合成画像が呼び出された時、この合成画像を構成する撮影画像とダウンロード画像が別々に格納されている場合、呼び出し要求があった「合成画像はその一部に著作権が付いているため表示できない旨」のメッセージを表示する。【選択図】  図１
2004194293.tif 000002
【特許請求の範囲】
【請求項１】
各種マルチメディアデータを取得するためのデバイスを内蔵し、無線通信機能と、この無線通信機能によりネットワーク上からマルチメディアデータをダウンロードする機能とを有する携帯無線端末において、
前記デバイスを使用することにより取得したマルチメディアデータと、前記ネットワーク上からダウンロードしたマルチメディアデータとを記憶する記憶手段と、
マルチメディアデータの合成を指示する合成指示手段と、
この合成指示手段によって合成指示を検出すると、前記記憶手段より合成対象となるマルチメディアデータを読み出して合成する合成手段と、
前記合成手段で合成されたマルチメディアデータにダウンロードされたものが含まれている場合、前記記憶手段に記憶される夫々のマルチメディアデータの格納アドレスを関連付けて前記記憶手段に記憶させ、前記合成手段で合成されたマルチメディアデータにダウンロードされたものが含まれていない場合、合成されたマルチメディアデータを前記記憶手段に記憶させる記憶制御手段と、
合成されたマルチメディアデータの当該携帯無線通信端末外部への送信を指示する送信指示手段と、
この送信指示手段によって前記記憶手段より合成されたマルチメディアデータが読み出されたとき、このマルチメディアデータが、合成対象となる夫々のマルチメディアデータの格納アドレスで記憶されているか否かを判断する判断手段と、
この判断手段により合成対象となる夫々のマルチメディアデータの格納アドレスで記憶されていると判断されると、送信を禁止する禁止手段と、
を具備することを特徴とする携帯無線端末。
【請求項２】
前記マルチメディアデータに含まれる著作権情報を検出する検出手段を更に備え、
前記記憶制御手段は、前記合成されたマルチメディアデータにダウンロードされたものが含まれているか否かを、合成対象となる夫々のマルチメディアデータより前記検出手段によって著作権情報が検出されたか否かで判断することを特徴とする請求項１に記載の携帯無線端末。
【請求項３】
前記無線通信機能による当該無線通信端末への着信を通知する着信通知手段を更に備え、
前記合成されたマルチメディアデータは、この着信通知手段による通知の際に出力されることを特徴とする請求項１又は２に記載の携帯無線端末。
【請求項４】
マルチメディアデータを取得するためのデバイスは撮像手段を含み、前記マルチメディアデータは、この撮像手段による撮影及び前記ネットワークよりダウンロードされた、静止画データ及び動画データであることを特徴とする請求項１乃至３の何れかに記載の携帯無線端末。
【請求項５】
前記記憶制御手段は合成されたマルチメディアデータにダウンロードされたものが無く、且つ、前記撮像手段により撮像された動画データが含まれている場合、この合成されたマルチメディアデータを動画データとして前記記憶手段に記憶させることを特徴とする請求項４に記載の携帯無線端末。
【請求項６】
マルチメディアデータを取得するためのデバイスは録音手段を含み、前記マルチメディアデータは、この録音手段による録音及び前記ネットワークよりダウンロードされた、音声データであることを特徴とする請求項１乃至３の何れかに記載の携帯無線端末。
【請求項７】
加工禁止情報が付加されたマルチメディアデータ及び加工禁止情報が付加されていないマルチメディアデータとを混在して記憶する記憶手段と、
被写体を静止画或いは動画で撮影する撮影手段と、
この撮影手段によって撮影された画像に基づく画像データを作成する作成手段と、
この作成された画像データに前記記憶手段に記憶されているマルチメディアデータとの合成を指示する指示手段と、
この指示手段により合成対象とされたマルチメディアデータに加工禁止情報が付加されている場合、加工結果に基づく出力内容のみを記憶する出力内容記憶手段と、
を具備することを特徴とする撮影画像編集装置。
【請求項８】
前記指示手段により合成対象とされたマルチメディアデータに加工禁止情報が付加されていない場合、前記画像データとマルチメディアデータとを合成して新たに前記記憶手段に記憶させる記憶制御手段を更に備えたことを特徴とする請求項７に記載の撮影画像編集装置。
【請求項９】
前記加工禁止情報とは、フラグ情報であることを特徴とする請求項７又は８に記載の撮影画像編集装置。
【請求項１０】
加工禁止情報が付加されたマルチメディアデータと、加工禁止情報が付加されていないマルチメディアデータとを混在して記憶するステップと、
被写体を撮影するステップと、
前記撮影された画像に基づく画像データを作成するステップと、
前記作成された画像データに前記記憶手段に記憶されているマルチメディアデータとの合成を指示するステップと、
前記指示により合成対象とされたマルチメディアデータに加工禁止情報が付加されている場合、加工結果に基づく出力内容のみを記憶するステップと、
を具備することを特徴とする撮影画像編集方法。
【請求項１１】
前記合成対象とされたマルチメディアデータに加工禁止情報が付加されていない場合、前記画像データとマルチメディアデータとを合成して新たに記憶するステップを更に備えたことを特徴とする請求項１０に記載の撮影画像編集方法。
【発明の詳細な説明】
【技術分野】
【０００１】
本発明は、マルチメディアデータ送受信する機能を有する携帯無線端末、撮影画像編集装置、及び、撮影画像編集方法に係り、特に撮影画像とダウンロード画像を合成・加工する機能を有するものに関する。
【背景技術】
【０００２】
近年の携帯電話機（携帯無線端末の一種）には、デジタルカメラが内蔵されているものがあり、この内蔵されたカメラ機能を用いて撮影したデータをメールに添付して送信したり、また、そのデータを受信して表示することが出来るようになっている（例えば、特許文献１参照）。
【０００３】
更に撮影したデータは加工できる一方、コンテンツプロバイダよりダウンロードした動画、アニメーション、音声（メロディ）等、各種マルチメディアデータと同様に、着信画像として自由に設定できる機能を備えたものも存在する（例えば、特許文献２参照）。
【０００４】
【特許文献１】特開２００２−１６５１９５号公報（第５頁、図４）
【特許文献２】特開２００２−１４０６１８号公報（第７頁、図４）
【発明の開示】
【発明が解決しようとする課題】
【０００５】
しかしながら、上記ダウンロードしたデータには、複製や加工を禁止しているものが多く、データに著作権保護付き情報を事前に付加されるが、一般ユーザはそれらを認識する機会が少なく、撮影画像を自由に合成加工しようとする場合、制限されたり、禁止されたりするケースも多い。
【０００６】
また、上記のような撮影機能付の携帯電話機で撮影した画像と、別途、ダウンロードして得た著作権付の画像を合成して表示することができるが、この合成画像を送信することはできないようになっているので、合成画像を一旦携帯電話機内に保持した後、電子メールで送信しようとした時、合成画像が表示されず、送信できないことになる。その際、一般のユーザは合成画像がなぜ表示されず、送信できないのかを理解できないこともあり、このような場合は操作に手間取り、携帯電話機の使い勝手が非常に悪いという問題があった。
【０００７】
本発明は、上述の如き従来の課題を解決するためになされたもので、その目的は、合成対象のマルチメディアデータにネットワークよりダウンロードされたり、著作権情報により保護されているデータがあった場合、送信できない旨を知らせることができる携帯無線端末とこの携帯無線端末に搭載される撮影画像編集装置及び撮影画像編集方法を提供することである。
【課題を解決するための手段】
【０００８】
上記目的達成のため、請求項１の発明による無線通信端末は、各種マルチメディアデータを取得するためのデバイスを内蔵し、無線通信機能と、この無線通信機能によりネットワーク上からマルチメディアデータをダウンロードする機能とを有し、前記デバイスを使用することにより取得したマルチメディアデータと、前記ネットワーク上からダウンロードしたマルチメディアデータとを記憶する記憶手段と、マルチメディアデータの合成を指示する合成指示手段と、この合成指示手段によって合成指示を検出すると、前記記憶手段より合成対象となるマルチメディアデータを読み出して合成する合成手段と、前記合成手段で合成されたマルチメディアデータにダウンロードされたものが含まれている場合、前記記憶手段に記憶される夫々のマルチメディアデータの格納アドレスを関連付けて前記記憶手段に記憶させ、前記合成手段で合成されたマルチメディアデータにダウンロードされたものが含まれていない場合、合成されたマルチメディアデータを前記記憶手段に記憶させる記憶制御手段と、合成されたマルチメディアデータの当該携帯無線通信端末外部への送信を指示する送信指示手段とこの送信指示手段によって前記記憶手段より合成されたマルチメディアデータが読み出されたとき、このマルチメディアデータが、合成対象となる夫々のマルチメディアデータの格納アドレスで記憶されているか否かを判断する判断手段と、この判断手段により合成対象となる夫々のマルチメディアデータの格納アドレスで記憶されていると判断されると、送信を禁止する禁止手段とを具備することを特徴とする。
【０００９】
また、上記目的達成のため、請求項２の発明は、前記請求項１において、前記マルチメディアデータに含まれる著作権情報を検出する検出手段を更に備え、前記記憶制御手段は、前記合成されたマルチメディアデータにダウンロードされたものが含まれているか否かを、合成対象となる夫々のマルチメディアデータより前記検出手段によって著作権情報が検出されたか否かで判断することを特徴とする。
【００１０】
また、上記目的達成のため、請求項３の発明は、前記請求項１又は２において、前記無線通信機能による当該無線通信端末への着信を通知する着信通知手段を更に備え、前記合成されたマルチメディアデータは、この着信通知手段による通知の際に出力されることを特徴とする。
【００１１】
また、上記目的達成のため、請求項４の発明は、前記請求項１乃至３の何れかにおいて、マルチメディアデータを取得するためのデバイスは撮像手段を含み、前記マルチメディアデータは、この撮像手段による撮影及び前記ネットワークよりダウンロードされた、静止画データ及び動画データであることを特徴とする。
【００１２】
また、上記目的達成のため、請求項５の発明は、前記請求項４において、前記記憶制御手段は合成されたマルチメディアデータにダウンロードされたものが無く、且つ、前記撮像手段により撮像された動画データが含まれている場合、この合成されたマルチメディアデータを動画データとして前記記憶手段に記憶させることを特徴とする。
【００１３】
また、上記目的達成のため、請求項６の発明は、前記請求項１乃至３の何れかにおいて、マルチメディアデータを取得するためのデバイスは録音手段を含み、前記マルチメディアデータは、この録音手段による録音及び前記ネットワークよりダウンロードされた、音声データであることを特徴とする。
【００１４】
また、上記目的達成のため、請求項７の発明による撮影画像編集装置は、加工禁止情報が付加されたマルチメディアデータ及び加工禁止情報が付加されていないマルチメディアデータとを混在して記憶する記憶手段と、被写体を静止画或いは動画で撮影する撮影手段と、この撮影手段によって撮影された画像に基づく画像データを作成する作成手段と、この作成された画像データに前記記憶手段に記憶されているマルチメディアデータとの合成を指示する指示手段と、この指示手段により合成対象とされたマルチメディアデータに加工禁止情報が付加されている場合、加工結果に基づく出力内容のみを記憶する出力内容記憶手段とを具備することを特徴とする。
【００１５】
また、上記目的達成のため、請求項８の発明は、前記請求項７において、前記指示手段により合成対象とされたマルチメディアデータに加工禁止情報が付加されていない場合、前記画像データとマルチメディアデータとを合成して新たに前記記憶手段に記憶させる記憶制御手段を更に備えたことを特徴とする。
【００１６】
また、上記目的達成のため、請求項９の発明は、前記請求項７又は８において、前記加工禁止情報とは、フラグ情報であることを特徴とする。
【００１７】
また、上記目的達成のため、請求項１０の発明による撮影画像編集方法は、加工禁止情報が付加されたマルチメディアデータと、加工禁止情報が付加されていないマルチメディアデータとを混在して記憶するステップと、被写体を撮影するステップと、前記撮影された画像に基づく画像データを作成するステップと、前記作成された画像データに前記記憶手段に記憶されているマルチメディアデータとの合成を指示するステップと、前記指示により合成対象とされたマルチメディアデータに加工禁止情報が付加されている場合、加工結果に基づく出力内容のみを記憶するステップとを具備することを特徴とする。
【００１８】
また、上記目的達成のため、請求項１１の発明は、前記請求項１０において、前記合成対象とされたマルチメディアデータに加工禁止情報が付加されていない場合、前記画像データとマルチメディアデータとを合成して新たに記憶するステップを更に備えたことを特徴とする。
【発明の効果】
【００１９】
請求項１に記載の発明によれば、合成対象のマルチメディアデータにネットワークよりダウンロードされたり、著作権情報により保護されているデータがあった場合、送信できない旨を知らせることができ、ユーザの使い勝手を向上させることができる。
【００２０】
請求項２に記載の発明によれば、請求項１記載の発明において、著作権情報の有無により合成の可否を判断させることができる。
【００２１】
請求項３に記載の発明によれば、請求項１又は２記載の発明に加え、着信通知内容として合成されたマルチメディアデータを使用できるので、予め内蔵されたデバイスを使用することによる取得やダウンロードによる取得を意識させず、ユーザの好みに応じたマルチメディアデータを自由に使用することができる。
【００２２】
請求項４に記載の発明によれば、請求項１乃至３の何れかに記載の発明に加え、マルチメディアデータの一つとして静止画データや動画データを扱うので、ユーザは、撮影またはダウンロードによる取得を意識せずに静止画データや動画データを使用することができる。
【００２３】
請求項５に記載の発明によれば、請求項４に記載の発明に加え、ユーザが撮影した動画データが合成対象であれば、合成後のマルチメディアデータを一義的に動画データにするので、ユーザは、自由に動画データを使用することができる。
【００２４】
請求項６に記載の発明によれば、請求項１乃至３の何れかに記載の発明に加え、ユーザが録音した音声データもマルチメディアデータの一つとして扱うので、ユーザの好みに応じたマルチメディアデータを自由に使用することができる。
【００２５】
請求項７に記載の発明によれば、合成対象のマルチメディアデータにネットワークよりダウンロードされたり、著作権情報により保護されているデータがあった場合、データ同士の合成・保存を行うことなく、合成結果のみを確認することができるので、ユーザの使い勝手を向上させることができる。
【００２６】
請求項８に記載の発明によれば、請求項７に記載の発明に加え、加工を禁止していないマルチメディアデータの場合は、合成結果を新規のマルチメディアデータとして保存するので、ユーザの使い勝手を向上させることができる。
【００２７】
請求項９に記載の発明によれば、請求項７又は８に記載の発明に加え、マルチメディアデータの合成可否の判断基準として、フラグ情報の有無を用いるので、冗長なデータによる判断を行うことなく簡単に合成の可否判断を行うことができる。
【００２８】
請求項１０に記載の発明によれば、合成対象のマルチメディアデータにネットワークよりダウンロードされたり、著作権情報により保護されているデータがあった場合、データ同士の合成・保存を行うことなく、合成結果のみを確認することができるので、ユーザの使い勝手を向上させることができる。
【００２９】
請求項１１に記載の発明によれば、請求項１０に記載の発明に加え、加工を禁止していないマルチメディアデータの場合は、合成結果を新規のマルチメディアデータとして保存するので、ユーザの使い勝手を向上させることができる。
【発明を実施するための最良の形態】
【００３０】
（実施例１）
以下、本発明の実施例１として、第１の実施の形態を図面に基づいて説明する。図１は、本発明の実施の形態に係る二つ折り可能な携帯無線端末を開いた状態の外観例を示し、図１（ａ）がその平面図で、図１（ｂ）がその背面図である。
【００３１】
携帯電話機１はカメラ付きであり、静止画（Ｊｐｅｇ圧縮）及び動画（ｍｐｅｇ圧縮）撮影が可能で、蓋部と本体部からなる二つ折り構造を有している。この携帯電話機１には、伸縮自在のアンテナ１１が蓋部の背面に、音声出力を行うスピーカ１２が蓋部の前面側に、１２０ドット（幅）×１６０ドット（高さ）のカラー液晶で、写真付きメールの写真（写真）と本文とを同時に表示可能なメイン表示部１３が蓋部の前面側に設けられている。
【００３２】
キー操作部１４は、本体部の前面に設けられており、各種機能キー（メールキー１４１、アドレスキー１４２、シャッターキー１４３）、テンキー１４４などからなる。
【００３３】
メールキー１４１は、メール機能を起動し、メールメニューを表示するためのものである。アドレスキー１４２は、送信先のメールアドレスを選択する際に用いるアドレス帳を開くためのものである。
【００３４】
シャッターキー１４３は搭載されているシャッターを切るためのものである。テンキー１４４は、電話番号や文字の入力の際に使用するものである。音声入力を行なうマイク１５は、本体部の下部に設けられている。
【００３５】
サブ表示部１６と透明又は半透明部材で出来た背面キー１７が蓋部の背面に設けられ、背面キー１７は着信の際に発光するＬＥＤ（１７１）を内蔵している。また、撮影レンズ１８が蓋部の背面で上記サブ表示部１６の下部に設けられ、着信などを報知する報知スピーカ１９が蓋部を本体部に閉じた状態でも報知音が聞こえるように、本体部の背面下部に設けられている。
【００３６】
図２は図１に示した携帯電話機１の回路構成例を示したブロック図である。携帯電話機１は、無線によりアンテナ１１を介して音声やデータ（メールデータ）を送受及び変調／復調する無線送受信部２０、無線送受信部２０で受信した音声やデータ（メールデータ）を復調し、或いは無線送受信部２０へ送信するための音声やデータを変調するなどの無線通信に必要な処理をする無線信号処理部２１、各種動作及び全体の動作を制御する制御部２２、撮影モジュール（撮影レンズ１８、書換可能なフラッシュＲＯＭ（不図示）で構成）１８１及びＤＳＰ１８２で撮影された画像等を圧縮符号化する画像圧縮符号化処理部２３、後述の各種プログラムを格納するフラッシュＲＯＭ２４、表示部１３を駆動するドライバ２５、サブ表示部１６を駆動するドライバ２６、本携帯電話機１を呼び出すための電話番号や操作者（加入者）のＩＤ等のプロフィールデータを格納する加入者情報記憶部２７、制御部２２を制御する各種プログラムなどを格納するシステムＲＯＭ２８、携帯無線端末として必要な各種データを記億し且つ制御部２２が動作する上で必要なデータを格納すると共に撮像部（撮像レンズ１８、撮像モジュール１８１、ＤＳＰ１８２）で撮像され、ＲＯＭ２４の画像処理プログラム領域に格納されたプログラムにより圧縮符号化された画像ファイルや、ＷＷＷ（World Wide Web）を介してダウンロードした画像ファイルを格納するＲＡＭ２９、ＣＣＤ若しくはＣＭＯＳで構成されてカラー画像を取り込む撮影モジュール１８１、撮影モジュール１８１に取り込まれた画像を符号化処理するＤＳＰ１８２、報知スピーカ１９、バイブレータ１９１、ＬＥＤ１７１を駆動するドライバ１９２、マイク１５から入力された音声信号を符号化処理したり、無線信号処理部２１から出力された信号に基づいて復号化してスピーカ１２を駆動させて音声を出力する音声信号処理部２００を有している。
【００３７】
ここで、上記した画像圧縮符号化処理部２３は、撮像部（撮影レンズ１８、撮影モジュール１８１、ＤＳＰ１８２）で撮影されデジタル符号化された静止画、動画及び後述のカメラモードでの着信画像作成の際に合成された表示画像（静止画、動画）をキャプチャーしたものを、静止画であればＪＰＥＧ形式に圧縮符号化し、動画であればＭＰＥＧ−４形式互換のａｍｃ形式にエンコードする回路部であり、また、不図示のシステムよりネットワーク上から画像データをダウンロードしたり、受信したメールに添付された静止画像ファイル（ＪＰＥＧ（ＪＰＧ）形式、ＢＭＰ形式、ＰＮＧ形式、ＧＩＦ形式）や動画ファイル（ＭＰＥＧ（ＡＭＣ）ＡＳＦ）形式、ＧＩＦアニメーション形式）をデコードする機能も備えている。尚、撮像部にて撮影された静止画においては、ＪＰＥＧ形式にエンコードする際、ＤＣＦ規格若しくはＥｘｉｆ規格に基づいてサムネイル画像や、撮影条件などのコントロールタグを設定してファイル化する。
【００３８】
図３は上記したＲＡＭ２９のメモリエリア構成を示した模式図である。ＲＡＭ２９はデータフォルダ管理テーブル２９０のエリア、データフォルダ２９１のエリア、着信設定テーブル２９２のエリア、アドレス帳テーブル２９３のエリア、その他のデータメモリ２９４のエリアに区画されている。
【００３９】
ここで、上記したデータフォルダ管理テーブル２９０のテーブル構成は図４に示すとおりである。実際の実データはデータフォルダ２９１に格納されているが、それらを管理するデータフォルダ管理テーブル２９０はレコードＮｏ．毎に、ファイル名、データサイズ、フォルダ属性、フォルダ名称、ファイル属性、著作権フラグを書き込むようになっており、これで１レコードが形成されている。
【００４０】
ここでいうフォルダ属性とは、各データを分類管理するために設けられるものであり、表示画面上では、フォルダ単位でデータフォルダに格納されているデータが表示されるが、記録のされかたとしては、どのようなファイルでも記録順に雑多に記録されている。尚、フォルダ名称は、表示画面上で表示されるフォルダの名前である。
【００４１】
ファイル属性とは、データフォルダに格納されているデータそのものの属性を表している。動画は、ＭＰＥＧ形式互換のＡＭＣ形式ファイルで符号化圧縮されたデータ（音声有り／無し関係無く）、携帯電話機１で撮影された動画ファイルのことである。音無し、音のみが付いている場合でも、ＭＰＥＧ形式に符号化された場合、同じフォルダ「ムービー」として扱う。またＧＩＦ形式のアニメーションファイル（図４のレコードＮｏ．０１５参照）や、ＰＭＤ形式ファイル（携帯電話機のフォーマットに特化した音声付アニメーションファイル（図４のレコードＮｏ．０１４参照）もこの属性に含むことにする。
【００４２】
静止画は、（ＪＰＥＧ（ＪＰＧ）形式、ＢＭＰ形式、ＰＮＧ形式、ＧＩＦ形式）の静止画ファイル、携帯電話機１で撮影された静止画ファイルが含まれる。音声は携帯電話機１で録音された音声ファイル（ＱＣＰ形式Ｎｏ．００３参照）や、ＰＭＤ形式ファイル（携帯電話機のフォーマットに特化した音声付アニメーションファイル（アニメーション無しの場合）（図４のレコードＮｏ．００７〜００８参照）、ＭＭＦ形式ファイル（携帯電話機のフォーマットに特化したメロディファイル（図４のレコードＮｏ．００９〜０１０参照）がこの属性に含まれる。
【００４３】
着信設定テーブル２９２とは、外部からの自機宛ての着呼要求信号を受信した際に、どのような報知（画面表示と音声（メロディ）出力）を行うかを設定したテーブルであり、詳細には、図５に示すように上述のデータフォルダ管理テーブル２９０のレコードＮｏ．が格納される。
【００４４】
この時、格納されたレコードＮｏ．に対応するデータのファイル属性が動画の場合、着呼要求信号受信時にこのファイルを開き、表示部１３に動画表示をした後、この動画ファイルに音声が含まれていれば、音声を出力する。音声が含まれていない場合は、デフォルトで設定された報知音を出力する。
【００４５】
また、格納されたレコードＮｏ．に対応するデータのファイル属性が静止画の場合は、着呼要求信号受信時にこのファイルを開き、表示部１３に静止画表示をした後、着信設定テーブル２９２においてこの静止画ファイルに対応するレコードＮｏ．にファイル属性が「音声」のファイルのレコードＮｏ．があれば、そのレコードＮｏ．に対応する音声を出力する。無い場合はデフォルトで設定された報知音を出力する。
【００４６】
図５は上記した着信設定テーブル２９２の内容例を示した図である。この図５における発信者番号フラグとは、着呼要求信号に発信者の電話番号が含まれ、この電話番号とＲＡＭ２９のアドレス帳テーブル２９３に格納されている電話番号とが同一の場合に発信者番号フラグがセットされていたら、その着信設定で報知を行うものである。尚、対応アドレスとは、上述のアドレス帳テーブル２９３内の格納アドレスを意味する。
【００４７】
次に本実施の形態の動作について説明する。まず、図６、図７のフローチャートに従って、概略動作について説明する。
【００４８】
図６において、まず携帯無線機１は、アンテナ１１、無線送受信部２０、無線信号処理部２１を介して通信ネットワーク上の画像データダウンロードサイトにアクセスして、画像データをダウンロードし、画像メモリ２３に格納してあるものとする。また、撮像部（撮影レンズ１８、撮影モジュール１８１、ＤＳＰ１８２）で撮影されて画像圧縮符号化処理部２３により圧縮符号化された画像ファイルがＲＡＭ２９のその他のデータメモリ２９４（画像メモリ）に格納してあるものとする。
【００４９】
その後、ユーザが携帯電話機１で撮影した画像（静止画、動画）を着信時に表示させるように着信設定テーブル２９２に設定する場合、図６のステップＡ０１で、制御部２２は着信時に表示させる撮影画像にダウンロード画像を合成するかどうかを判断し、合成しない場合はステップＡ０２で、この撮影画像を着信時に表示させる際に同時に流す音声ファイルの関連付けを指示し、ステップＡ０３で着信設定テーブル２９２に静止画ファイルの格納アドレス、音声ファイルの格納アドレスを関連付けて格納する。
【００５０】
一方、撮影画像にダウンロード画像を合成すると判断した場合は、ステップＡ０４に進み、合成するダウンロード画像に著作権が付いているかどうかを判断し、付いていない場合は、ステップＡ０７に進み、付いている場合はステップＡ０５に進む。
【００５１】
ステップＡ０５で、この撮影画像を着信時に表示させる際に同時に流す音声ファイルの関連付けを指示し、ステップＡ０６で、着信設定テーブル２９２に静止画ファイルの格納アドレス、合成する画像の格納アドレスと合成位置、音声ファイルの格納アドレスをそれぞれ関連付けて格納する。
【００５２】
ステップＡ０７に進んだ場合、撮影画像にダウンロード画像を合成し、合成結果をキャプチャーしてＲＡＭ２９内の新規のデータフォルダ２９１に格納する。その後、ステップＡ０８で、この合成画像を着信時に表示させる際に同時に流す音声ファイルの関連付けを指示し、ステップＡ０９で、着信設定テーブル２９２に合成結果の格納アドレスと音声ファイルの格納アドレスを関連付けて格納する。
【００５３】
要は、携帯電話機１で撮影した画像（静止画、動画）を着信時に表示させるように着信設定テーブル２９２に設定する場合、合成する画像に著作権禁止フラグ（コピー防止）がセットされていれば、撮影画像のレコードＮｏ．と対応するレコードＮｏ．とを対応付けて格納し、著作権禁止フラグ（コピー防止）がセットされていなければ、その合成結果をキャプチャーして、新規にファイル作成して、そのファイルのレコードＮｏ．を着信設定テーブル２９２に設定する。
【００５４】
図７は携帯電話機１で撮影した画像（静止画、動画）を着信時に表示させるように着信設定テーブルに設定する更に詳しい動作手順を示したフローチャートである。ステップＢ０１で、着信時に表示させる撮影画像にダウンロード画像を合成するかどうかを判断し、合成しない場合はステップＢ０２で、着信時に表示させる撮影画像即ち、着信画像に音声が付いているかどうかを判断し、付いていない場合はステップＢ０５に進み、付いている場合はステップＢ０３に進む。
【００５５】
ステップＢ０３では、着信画像に付いている音声を着信時に出力させるかどうかを判断し、出力させない場合はステップＢ０５に進み、出力させる場合はステップＢ０４に進む。ステップＢ０４では、着信設定テーブル２９２に動画ファイルの格納アドレスを撮影画像の格納アドレスと関連付けて格納する。
【００５６】
ステップＢ０５に進んだ場合、着信画像を表示する際に出力する音声の音声ファイルの関連付けを指示し、ステップＢ０６で、着信設定テーブル２９２に動画ファイルの格納アドレスと音声ファイル格納アドレスを関連付けて格納する。
【００５７】
一方、撮影画像にダウンロード画像を合成すると判断した場合は、ステップＢ０７に進み、合成するダウンロード画像に著作権が付いているかどうかを判断し、付いていない場合はステップＢ１３に進み、付いている場合はステップＢ０８に進む。ステップＢ０８で、撮影画像或いはダウンロード画像のいずれかのファイルに音声が付いているかどうかを判断し、付いていない場合はステップＢ１１に進み、付いている場合はステップＢ０９に進む。
【００５８】
ステップＢ０９で、いずれかの画像に付いている音声を着信時に出力させるかどうかを判断し、出力させない場合はステップＢ１１に進み、出力させる場合はステップＢ１０に進む。ステップＢ１０では着信設定テーブル２９２に動画ファイルの格納アドレスと合成する画像の格納アドレス及び合成位置をそれぞれ関連付けて格納する。
【００５９】
ステップＢ１１に進んだ場合、音声ファイルの関連付けを指示し、ステップＢ１２にて着信設定テーブル２９２に動画ファイルの格納アドレスと合成する画像の格納アドレス及び合成位置、更に音声ファイルの格納アドレスをそれぞれ関連付けて格納する。
【００６０】
一方、ステップＢ１３に進んだ場合、撮影画像とダウンロード画像の両方のファイルに音声が付いているかどうかを判断し、両方に付いていない場合はステップＢ１８に進み、両方に付いている場合はステップＢ１４に進む。ステップＢ１４にて着信時に再生して出力する音声を選択指示し、ステップＢ１５にて合成結果を再生してキャプチャーし、新規にデータフォルダ２９１に格納する。
【００６１】
その後、ステップＢ１６にて音声を着信時に出力させるかどうかを判断し、出力させない場合はステップＢ１９に進み、出力させる場合はステップＢ１７に進む。ステップＢ１７にて着信設定テーブル２９２に、キャプチャーした動画ファイル（合成画像）のアドレスを格納する。
【００６２】
ステップＢ１８に進んだ場合、撮影画像とダウンロード画像のいずれのファイルにも音声が付いていないかどうかを判断し、いずれかに付いている場合はステップＢ１５に進み、いずれにも付いていない場合はステップＢ１９に進む。ステップＢ１９にて音声ファイルの関連付けを指示し、ステップＢ２０にて着信設定テーブル２９２に、キャプチャーした動画ファイル（合成画像）のアドレスと音声ファイルの格納アドレスを関連付けて格納する。
【００６３】
図８、図９、図１０、図１１、図１２は実際に携帯電話機１の撮影機能を用いて画像を撮影し、それを着信時の表示画像にする処理手順を示したフローチャートである。
【００６４】
まず、携帯電話機１のキー入力部１４を操作してカメラモードにすると、制御部２２は表示部１３にメニューをステップＳ０１で表示する。ユーザはこのメニュー表示を見て動画を撮影するか或いは、静止画を撮影するかを入力部１４を操作して選択するため、制御部２２はステップＳ０２にて選択した機能モードが静止画であるか或いは、動画であるかを判断し、静止画である場合はステップＳ０３に進み、動画である場合は図１１のステップＳ４８に進む。
【００６５】
図２３（ａ）はユーザが静止画を選択した場合に表示部に表示される画面例で、「静止画」に下線が引いてある。図２４（ａ）は動画を選択した画面例で、「動画」に下線が引いてある。
【００６６】
ステップＳ０３で、撮影モジュール１８１で被写体を撮影して得られる電気信号をＤＳＰ１８２により画像としたものを、ドライバ２５を通して表示部１３にそのままスルー表示する。その後、ステップＳ０４でシャッターキー１４３の操作を検出したかどうかを判断し、検出されない場合はステップＳ４８の処理に戻り、検出された場合はステップＳ０５で、その時のＤＳＰ１８２から出力されている画像をＲＡＭ２９のその他のデータメモリ２９４に一旦取り込んで記憶する。
【００６７】
次にステップＳ０６で、ユーザにファイル名入力指示を表示部１３に表示した後、ステップＳ０７でファイル名の入力決定を検出したかどうかを判断し、検出した場合はステップＳ０９の処理に進み、検出しない場合はステップＳ０５に進んで、キャンセルを検出したかどうかを判断し、キャンセルを検出しない場合はステップＳ０６の処理に戻り、キャンセルを検出した場合はステップＳ０３の処理に戻る。
【００６８】
ステップＳ０９で、取り込んだ静止画に、ファイル属性・静止画、フォルダ属性００２（マイフォト）を付けてデータフォルダ２９１に格納する。その後、ステップＳ１０にて、この撮影画像を着信画像に使用するか否かをユーザに選択させる画像を表示部１３に表示する。図２３（ｂ）はユーザが着信画像に使用することを選択した場合の表示画像例で、「ＹＥＳ」に下線が付けられている。
【００６９】
上記動作を受けてステップＳ１１でユーザが着信画像に使用することを選択したかどうかを判断し、着信画像に使用しない場合は、撮影した静止画ファイルにファイル名（ｆｕｕｋｅｉ．ｊｐｇ）を設定して、ＲＡＭ２９のデータフォルダ２９１に図１３のレコードＮｏ．２０で格納した後、リターンしてメニュー表示に戻る。着信画像に使用することを選択した場合はステップＳ１２に進む。
【００７０】
次にユーザが撮影画像を着信画像にすることを選択した場合、同ユーザはこの着信画像にダウンロード画像を合成するかどうかを選択する。このユーザの選択を受けて、制御部２２はステップＳ１２で、着信時に表示する撮影画像にダウンロード画像を合成するかどうかを判断する。その結果、合成しない場合はステップＳ２６に進み、合成する場合はステップＳ１３に進んで、静止画と動画のいずれを合成するかを判断し、静止画である場合はステップＳ１４に進み、動画である場合は図１０に示したステップＳ３１に進む。
【００７１】
ステップＳ１４では、既にネットワークからダウンロードしたファイル属性・静止画のファイルをフォルダ毎に表示部１３に表示し、ステップＳ１５でその後のユーザによる選択合成操作に応じた例えば図２３（ｃ）に示すような合成画像を表示部１３に表示する。
【００７２】
画像合成はステップＳ１６で合成画像作成完了の決定を検出するまで行われ、合成画像の作成完了が決定されると、ステップＳ１７で合成に使用したダウンロード画像に著作権フラグが付いているかどうかを判断し、付いていない場合はステップＳ２１に進み、付いている場合はステップＳ１８に進む。
【００７３】
ステップＳ１８では、ダウンロード画像に著作権フラグが付いているがそれで良いかどうかを確認する表示を表示部１３に表示し、ステップＳ１９で確認のＹＥＳが検出されるまで、ステップＳ１４からステップＳ１８の処理を繰り返し、ＹＥＳが検出されると、ステップＳ２０に進んで、着信設定テーブル２９２に関連付けデータとして保存した後、図９に示したステップＳ２４に進む。
【００７４】
図１４は上記したステップＳ２０における着信設定テーブル２９２の内容例で、レコードＮｏ．２０の静止画ファイルにレコードＮｏ．１７のｓｔａｍｐ０２．ｐｎｇの静止画ファイルを合成した場合を示すものである。
【００７５】
この場合の表示例として図２３（ｃ）を用いて説明すれば、このような合成画像であっても、ｓｔａｍｐ０２．ｐｎｇの静止画（図２３（ｃ）において表示画面の左上にある人の静止画）は著作権フラグがセットされているため合成画像として新規に作成できない。従って、着信設定テーブル２９２の格納内容は、撮影画像ファイルのレコードＮｏ．＋合成された画像ファイルのレコードＮｏ．（合成位置（左上隅基準）ｘ座標，合成位置（左上隅基準）ｙ座標）となる。
【００７６】
一方、ステップＳ２１に進んだ場合、合成された静止画を一度再生し、ステップＳ２２で、この合成画像のファイル名を入力して決定した後、図１５に示すようなデータフォルダ２９１にレコードＮｏ．２１として新規に格納する。その後、ステップＳ２３で、この合成画像の格納アドレスを図１６に示すように着信設定テーブル２９２に格納してステップＳ２４に進む。
【００７７】
上記した図１５のデータフォルダ２９１の内容例は、合成される画像ファイルに著作権禁止フラグ（コピー防止）がセットされていない場合における、その合成結果のキャプチャー画像（ｃｈａｋｕｆｕｕｋｅｉ．ｊｐｇ）を新規に格納した場合である。
【００７８】
図１６は、上記した合成画像として、例えば、レコードＮｏ．２０の静止画ファイルにレコードＮｏ．１６のｓｔａｍｐ０１．ｐｎｇの静止画ファイルを合成した場合の着信設定テーブル２９２の格納内容例を示すものである。この場合の表示部１３の表示画面例として再度図２３（ｃ）で説明すれば、ｓｔａｍｐ０１．ｐｎｇの静止画（図２３（ｃ）において表示画面の左上にある人の静止画）は著作権フラグがセットされていないため合成画像として新規に作成される。従って、着信設定テーブル２９２の格納内容は、新規に作成された画像ファイルのレコードＮｏ．となる。
【００７９】
ステップＳ２４では、着信画像に音声を付加する場合、既にネットワークからダウンロードしたファイル属性・音声、若しくはファイル属性アニメーション（音無し除く）のファイルをフォルダ毎に表示し、これをユーザが選択したことをステップＳ２５で検出するまで表示する。その後、ユーザの選択を検出すると、ステップＳ２６で着信設定テーブル２９２に図１７に示すような関連付けデータとして保存した後、リターンしてメニュー表示画面に戻る。
【００８０】
図１７の事例では、例えば、レコードＮｏ．２０の静止画ファイルにレコードＮｏ．１７のｓｔａｍｐ０２．ｐｎｇの静止画ファイルを合成し、着信時に出力する音声ファイルとして、レコードＮｏ．０８を格納した場合の着信設定テーブル２９２の格納内容を示すものである。着信設定テーブル２９２の格納内容は、撮影画像ファイルのレコードＮｏ．＋合成された画像ファイルのレコードＮｏ．（合成位置（左上隅基準）ｘ座標，合成位置（左上隅基準）ｙ座標）＋関連付けられた音声ファイルのレコードＮｏ．となる。
【００８１】
ここで、ステップＳ２５で、Ｎｏの場合のステップＳ２６における着信設定テーブル２９２の内容例は図１８に示すようになる。図１８では、例えば、レコードＮｏ．２１（新規に作成された合成画像ファイル）に着信時に出力する音声ファイルとして、レコードＮｏ．０８を格納した場合の着信設定テーブル２９２の格納内容例を示すものである。着信設定テーブル２９２の格納内容は、新規に作成された画像ファイルのレコードＮｏ．＋関連付けられた音声ファイルのレコードＮｏ．となる。
【００８２】
次に図１０に示したステップＳ３１の処理に進んだ場合、既にダウンロードしてあるファイル属性が動画のファイルをフォルダ毎に表示部１３に表示し、ステップＳ３２でその後のユーザによる選択合成操作に応じた合成画像を表示部１３に表示する。
【００８３】
ここで、図１９は上記したステップＳ３２で静止画に動画を合成して作成された場合の作成画像の格納例で、図１３に示したファイル属性動画（ｍｏｖｉｅｆｒａｍ  ０１  ｇｉｆ）を合成した時に作成された画像ファイル（ｃｈａｋｕｆｕｕｋｅｉ．ｇｉｆ）をキャプチャーして、ＲＡＭ２９のデータフォルダ２９１にレコードＮｏ．０２１として格納した状態を示した図である。
【００８４】
即ち、撮影画像が静止画であっても合成対象が動画（アニメーション）の場合、合成結果は動画として新規にファイル作成される。事例として図２３（ｄ）、図２３（ｅ）で説明すると、図中の星マークの列が（ｄ）＜＝＞（ｅ）で交互に切り替わるデータは図１９のレコードＮｏ．１８のｍｏｖｉｅｆｒａｍｅ０１．ｇｉｆというファイルになる。
【００８５】
つまり撮影画像が静止画（図中の飛行機の絵）であっても、合成画像が動画（図中の星マークの列）が含まれていれば、そのファイル形式に沿った動画ファイルが作成されるということになる。ちなみにこの時点では、フォルダ属性・ファイル属性等を設定していないが、後述するステップＳ４６で、音声ファイル（著作権無し）を関連付けさせると、音声付アニメーションファイル（ｃｈａｋｕｆｕｕｋｅｉ．ｐｍｄ）としてファイル加工されて、データフォルダ２９１に図２０に示すように格納される。
【００８６】
画像合成はステップＳ３３で合成画像作成完了の決定が検出されるまで行われ、合成画像の作成完了が決定されると、ステップＳ３４で合成に使用したダウンロード画像に著作権フラグが付いているかどうかを判断し、付いていない場合はステップＳ３８に進み、付いている場合はステップＳ３５に進む。
【００８７】
ステップＳ３５でダウンロード画像に著作権フラグが付いているがそれで良いかどうかを確認する表示を表示部１３に表示し、ステップＳ３６で確認のＹＥＳが検出されるまで、ステップＳ３１からステップＳ３５の処理を繰り返し、ＹＥＳが検出されると、ステップＳ３７に進んで、着信設定テーブル２９２に関連付けデータとして保存してステップＳ４１に進む。
【００８８】
一方、ステップＳ３８に進んだ場合、合成された動画を動画の開始→終了タイミングで一度再生して画像圧縮符号化処理部２３で画像圧縮した後、ステップＳ３９で、この合成画像のファイル名を入力して決定した後、ステップＳ４０で新規にデータフォルダ２９１に格納してからステップＳ４１に進む。
【００８９】
ステップＳ４１で、着信画像に音声を付加する場合、既にネットワークからダウンロードしたファイル属性・音声、若しくはファイル属性アニメーション（音無し除く）のファイルを表示部１３にフォルダ毎に表示し、これをユーザが選択したことをステップＳ４２で検出するまで表示する。ユーザの選択を検出すると、ステップＳ４３で合成に使用したダウンロード画像に著作権フラグが付いているかどうかを判断し、付いていない場合はステップＳ４６に進み、付いている場合はステップＳ４４に進む。
【００９０】
ステップＳ４４でダウンロード画像に著作権フラグが付いているがそれで良いかどうかを確認する表示を表示部１３に表示し、ステップＳ４５で確認のＹＥＳが検出されるまで、ステップＳ４１からステップＳ４４の処理を繰り返し、ＹＥＳが検出されると、ステップＳ４７に進んで、着信設定テーブル２９２に関連付けデータとして保存した後、リターンしてメニュー表示画面に戻る。
【００９１】
一方、ダウンロード画像に著作権フラグが付いていない場合、ステップＳ４６に進んで、ファイル属性として動画設定し、フォルダ属性に００１若しくは００４を設定した後、ステップＳ４７に進み、着信設定テーブル２９２に関連付けデータとして保存した後、リターンしてメニュー表示画面に戻る。
【００９２】
一方、図８のステップＳ０２で選択した撮影モードが動画の場合には、図１１のステップＳ４８に進み、ここで撮影モジュール１８１で被写体を撮影して得られる電気信号をＤＳＰ１８２により画像としたものを、ドライバ２５を通して表示部１３にそのままスルー表示する。その後、ステップＳ４９でシャッターキー１４３の操作を検出したかどうかを判断し、検出されない場合はステップＳ４８の処理に戻り、検出された場合はステップＳ５０で、その時のＤＳＰ１８２から出力されている動画像をＲＡＭ２９のその他のデータメモリ２９４に一旦取り込んで記憶する。
【００９３】
次に、ステップＳ５１でシャッターキー１４３の操作を検出したかどうかを判断し、検出されない場合はステップＳ５２で所定時間経ったかどうかを判断し、所定時間経っていない場合はステップＳ５０の処理に戻り、所定時間経った場合はステップＳ５３の処理に進む。シャッターキー１４３の操作を検出した場合は直ちにステップＳ５３の処理に進む。
【００９４】
ステップＳ５１でシャッターキー１４３の操作が検出された場合は、ステップＳ５３に進み、ここで一旦取り込んだ画像を画像圧縮符号化処理部２３により圧縮符号化した後、ステップＳ５４でユーザにファイル名入力指示を表示部１３に表示する。
【００９５】
その後、ステップＳ５５でファイル名入力決定を検出したかどうかを判断し、検出しない場合はステップＳ５６に進んでキャンセルを検出したかどうかを判断し、キャンセルを検出しない場合はステップＳ５４の処理に戻り、キャンセルを検出した場合はステップＳ４８の処理に戻る。
【００９６】
ステップＳ５５でファイル名の入力決定を検出した場合はステップＳ５７に進んで、圧縮符号化した動画を、ファイル属性・動画、フォルダ属性００３（ムービー）を付けてＲＡＭ２９のデータフォルダ２９１に図２１に示すように格納する。
【００９７】
図２１はカメラモードで動画像を撮影して動画ファイルを作成した場合において、その動画ファイルにファイル名（ｃａｒ．ａｍｃ）を設定し、データフォルダ２９１にレコードＮｏ．２０として格納した場合の例を示したものである。
【００９８】
その後、ステップＳ５８にて、この撮影画像を着信画像に使用するか否かをユーザに選択させる画像を表示部１３に表示する。これに対してステップＳ５９でユーザが着信画像に使用すると選択したかどうかを判断し、着信画像に使用しない場合はリターンして表示メニューに戻り、着信画像に使用するとした場合はステップＳ６０に進む。
【００９９】
図２４（ｂ）はユーザが着信画像に使用することを選択した場合の表示部１３の画面例で「ＹＥＳ」に下線が引いてある。また、この時、ユーザは撮影画像を着信画像にすることを選択した場合、ダウンロード画像と合成するかどうかを選択する。
【０１００】
制御部２２はステップＳ６０で、着信時に表示する撮影画像にダウンロード画像を合成するかどうかを判断し、合成しない場合は図１２に示したステップＳ７１に進み、合成する場合はステップＳ６１に進んで、既にネットワークからダウンロードしたファイル属性・静止画、動画、ｏｒアニメーションのファイルをフォルダ毎に表示部１３に表示し、ステップＳ６２でその後のユーザによる選択合成操作に応じた合成画像を表示部１３に表示する。
【０１０１】
その後、ステップＳ６３で合成画像の決定を検出するまで、ステップＳ６２の処理を繰り返し、合成画像が決定されると、ステップＳ６４で合成に使用したダウンロード画像に著作権フラグが付いているかどうかを判断し、付いていない場合はステップＳ６８に進み、付いている場合はステップＳ６５に進む。
【０１０２】
ステップＳ６５ではダウンロード画像に著作権フラグが付いているがそれで良いかどうかを確認する表示を表示部１３に表示し、ステップＳ６６で確認のＹＥＳが検出されるまで、ステップＳ６１からステップＳ６５の処理を繰り返し、ＹＥＳが検出されると、ステップＳ６７に進んで、着信設定テーブル２９２に関連付けデータとして保存した後、図１２のステップＳ７１に進む。
【０１０３】
一方、ステップＳ６８に進んだ場合、合成された静止画を一度再生して画像を画像圧縮符号化処理部２３により圧縮し、ステップＳ６９で、この合成画像のファイル名を入力して決定した後、ＲＡＭ２９のデータフォルダ２９１に図２２に示すように新規に格納する。更に、ステップＳ７０で、この格納アドレスを着信設定テーブル２９２に記憶した後、図１２のステップＳ７１に進む。
【０１０４】
図２２は静止画に動画を合成した画像ファイルに著作権禁止フラグ（コピー防止）がセットされていない場合に、その合成結果のキャプチャー画像（ｃｈａｋｕｃａｒ．ａｍｃ）を新規にデータフォルダ２９１に格納した例を示した図である。
【０１０５】
図２５（ａ），（ｂ），（ｃ）は静止画に動画を合成した画面例で、図２５（ａ）→（ｂ）→（ｃ）において星マークの列が交互に切り替わるデータが図２２のレコードＮｏ．１８のｍｏｖｉｅｆｒａｍｅ０１．ｇｉｆというファイルになる。この場合、撮影画像のファイル形式に沿った動画ファイルが作成されることになる。
【０１０６】
図１２のステップＳ７１で、着信画像に音声を付加する場合、既にネットワークからダウンロードしたファイル属性・音声、若しくはファイル属性アニメーション（音無し除く）のファイルをフォルダ毎に表示し、これをユーザが選択したことをステップＳ７２で検出するまで表示する。
【０１０７】
ユーザの選択を検出すると、ステップＳ７３で合成に使用したダウンロード画像に著作権フラグが付いているかどうかを判断し、付いていない場合はステップＳ７７に進み、付いている場合はステップＳ７４に進む。
【０１０８】
ステップＳ７４でダウンロード画像に著作権フラグが付いているがそれで良いかどうかを確認する表示を表示部１３に表示し、ステップＳ７５で確認のＹＥＳが検出されるまで、ステップＳ７１からステップＳ７４の処理を繰り返し、ＹＥＳが検出されると、ステップＳ７６に進んで、着信設定テーブル２９２に関連付けデータとして保存した後、リターンしてメニュー表示画面に戻る。
【０１０９】
一方、ダウンロード画像に著作権フラグが付いていない場合、ステップＳ７７に進んで、ファイル属性として動画設定し、フォルダ属性に００１若しくは００４を設定した後、着信設定テーブル２９２に関連付けデータとして保存した後、リターンしてメニュー表示画面に戻る。
【０１１０】
ここで、ユーザが一度合成して格納した画像を使用（電子メールで送信する）する場合、制御部２２はＲＡＭ２９をサーチし、使用する画像が着信設定テーブル２９２に関連付けデータとして保存されている場合、合成画像の一部に著作権が付いているものと判断し、「使用しようとしている画像は合成画像の一部に著作権が付いているため表示できませんという旨」の表示を表示部１３に表示する。また、合成画像を電子メールで送信するために使用する場合は、「合成画像の一部に著作権が付いているため表示できず、且つ送信できない旨」の表示を行う。
【０１１１】
図２６は上記した合成画像を使用する場合の制御部２２の処理手順を示したフローチャートである。
【０１１２】
ステップＤ０１にて、合成画像の呼び出しがあると、ステップＤ２に進んでＲＡＭ２９の着信設定テーブル２９２を検索し、前記呼び出し要求対象の合成画像を構成する撮影画像とダウンロード画像の格納アドレスが別々で関連付けられて格納されているかどうかを調べる。
【０１１３】
ステップＤ０３にて上記検索により撮影画像とダウンロード画像の格納アドレスが別々であるかどうかを判定し、別々でない場合はステップＤ０５に進んで格納先のＲＡＭ２９のデータフォルダ２９１から合成画像データを読み出して表示する。
【０１１４】
一方、撮影画像とダウンロード画像の格納アドレスが別々である場合はステップＤ０４に進んで、表示部１３に「合成画像の一部に著作権が付けられているため表示できない旨」のメッセージを表示して処理を終了する。
【０１１５】
本実施の形態によれば、ユーザが一度合成して格納した合成画像を使用する際に、合成画像の一部に著作権が付いている場合は「合成画像の一部に著作権が付いているため表示できませんという旨」の表示を、また、合成画像を電子メール
で送信するために使用する場合は、更に、前記表示に付け加えて「送信できない旨」の表示を行うため、ユーザは何故画像が表示されないのか、何故電子メールで送信できないのかを即座に知ることができ、携帯電話機１の操作性を向上させることができる。
（実施例２）
【０１１６】
図２７は、本発明の実施例２であるところの、第２の実施の形態に係る動画像を着信画像にした場合の着信画像と共に出力する音声を作成する処理を示したフローチャートである。以下同一の構成を持つ各部については、その構成動作の説明を省略し、以下、その動作の特徴部分を説明する。
【０１１７】
まず、ステップＣ０１で合成する動画像に音声が付いているかどうかを判定し、音声が付いている場合はステップＣ０２に進み、音声が付いていない場合はステップＣ０４に進む。音声が付いている場合はステップＣ０２で、音声を着信時に出力させるかどうかを判断し、音声を着信時に出力させない場合は、ステップＣ０４に進み、音声を着信時に出力させる場合はステップＣ０３で、ＲＡＭ２９の着信設定テーブル２９２に動画ファイルの格納アドレスを格納する。
【０１１８】
一方、ステップＣ０４に進んだ場合、ここで音声ファイルの関連付け指示し、ステップＣ０５でこの音声ファイルに著作権フラグが付いているかどうかを判断し、付いている場合は着信設定テーブル２９２に動画ファイルの格納アドレス及び音声ファイルの格納アドレスを関連付けて格納する。
【０１１９】
音声ファイルに著作権フラグが付いていない場合、ステップＣ０７に進んで、関連付けされた音声ファイルを出力させながら動画像ファイルを再生してキャプチャーし、ステップＣ０８で、動画ファイルとして新規にデータフォルダ２９１に格納し、ステップＣ０９で、着信設定テーブル２９２に新規に作成された動画ファイルの格納アドレスを格納する。
【０１２０】
ここで、ユーザが着信動画像の表示時に音声を出力する場合など、即ち、合成画像を表示させる際に音声を出力させる場合で、それに著作権が付いている場合は、動画ファイルと音声ファイルが別々に格納されて、それぞれの格納アドレスが着信設定テーブル２９２に関連付けデータとして保存されているため、これを検出して、合成画像と共に出力する音声に著作権が付いているものと判断する。
【０１２１】
本実施の形態によれば、音声出力付の合成画像を電子メールで送信する時等、音声に著作権が付いている場合、「音声に著作権が付いているため送信できない旨」の表示を行うことにより、ユーザは何故送信できないのかを即座に知ることができ、携帯電話機１の操作性を向上させることができる。
【０１２２】
尚、上記実施例１（第１の実施の形態）、及び、実施例２（第２の実施の形態）では、合成画像のキャプチャー保存の可否を、合成元となるファイル（マルチメディアデータ）に著作権が付いているか否かで判断させたが、「インターネットからダウンロードしたファイルデータには原則的に著作権保護がかけられている。」ことを前提に、合成可否を判断させても良い。
【０１２３】
図２８は、このような上記のケースに対応させた携帯電話１におけるＲＡＭ２９のメモリエリア構成を示した模式図である。上記実施例１、及び、２と異なる点は、データフォルダ管理テーブル２９０の代わりにデータフォルダ管理テーブル２９５を備えている点にあり、それ以外の回路構成、メモリ構成については、上記実施例１、及び、２と同様である。
【０１２４】
データフォルダ管理テーブル２９５のテーブル構成は図２９に示すとおりである。実際の実データはデータフォルダ２９１に格納されているが、それらを管理するデータフォルダ管理テーブル２９０はレコードＮｏ．毎に、ファイル名、データサイズ、フォルダ属性、フォルダ名称、ファイル属性を書き込むようになっており、これで１レコードが形成されている。
【０１２５】
ここで、フォルダ名称の領域はマルチメディアファイルを混在させて格納する上で、ダウンロードしたものと携帯電話１において作成されたものとを、分類分けするために設定される。すなわち、フォルダ名称において「マイ…」とつけられているフォルダには、カメラ機能の起動など、携帯電話１を操作することにより得られた各種データを保存し、一方、ダウンロードしたデータを格納するフォルダには「マイ…」が付かないフォルダに格納される。
【０１２６】
そして、合成処理の過程においては合成元となるデータ（ファイル）が、「マイ…」が設定されていないフォルダより読み出したものである場合、強制的に合成したものをキャプチャーせず、夫々対応する格納アドレスを保存させる。
【０１２７】
このようにすることにより、著作権情報の有無に関わらず、合成の可否を判断させることができる。
【０１２８】
また上記のような、「インターネットからダウンロードしたファイルデータには原則的に著作権保護がかけられている。」ことを前提に合成可否を判断させる他に、例えば、ＪＰＥＧ形式の静止画ファイルであっても、携帯電話１にて撮影された静止画ファイルにあっては、「ＤＣＦ規格、もしくはＥｘｉｆ規格に準拠したファイル形式のものは加工しても良い。」ことを前提に合成可否を判断させても良い。
【０１２９】
図３０は、このような上記のケースに対応させた携帯電話１におけるＲＡＭ２９のデータフォルダ管理テーブル２９５のテーブル構成を示すものである。実際の実データはデータフォルダ２９１に格納されているが、それらを管理するデータフォルダ管理テーブル２９０はレコードＮｏ．毎に、ファイル名、データサイズ、フォルダ属性、フォルダ名称、ファイル属性、ＤＣＦ／Ｅｘｉｆフラグエリアに書き込むようになっており、これで１レコードが形成されている。
【０１３０】
ここで、ＤＣＦ／ＥｘｉｆフラグエリアはＪＰＥＧ形式の静止画ファイルを格納する格納する上で、ダウンロードしたものと携帯電話１において作成されたものとを、ＤＣＦ規格、もしくはＥｘｉｆ規格に基づいて作成されたか否かによって分類分けするために設定されるフラグである。すなわち、図３０において、レコードＮｏ.００２で管理されているファイル名ｔａｒｏ．ｊｐｇは、携帯電話１で撮影され、フォルダ名称「マイフォト」のフォルダに格納されていることから、撮影の後に格納された静止画ファイルであることが分かるので、ＤＣＦ／Ｅｘｉｆフラグエリアに”１”が設定され、一方で、レコードＮｏ.０１２で管理されているファイル名ｉｄｏｌ０１．ｊｐｇは、フォルダ名称「グラフィック」のフォルダに格納されていることから、ダウンロードされたことが分かるので、ＤＣＦ／Ｅｘｉｆフラグエリアに”０”が設定される。
【０１３１】
このようにすることにより、著作権情報の有無に関わらず、合成の可否を判断させることができる。
【０１３２】
尚、上記した各実施の形態の動作をプログラム化し、コンピュータに実行させることで実施できる。その際、コンピュータプログラムはフレキシブルディスクやハードディスク等のディスク型記録媒体、半導体メモリやカード型メモリ等の各種メモリ或いは、通信ネットワーク等の各種プログラム記録媒体を通じてコンピュータに供給することができる。
【０１３３】
尚、本発明は上記実施の形態に限定されることなく、その要旨を逸脱しない範囲において、具体的な構成、機能、作用、効果において、他の種々の形態によっても実施することができ、携帯無線端末としてＰＤＡや携帯用のパソコン等に適用して同様の効果を得ることができる。
【図面の簡単な説明】
【０１３４】
【図１】本発明の第１の実施の形態に係る二つ折り可能な携帯無線端末を開いた状態の外観例を示し、図１（ａ）がその平面図で、図１（ｂ）がその背面図である。
【図２】図１に示した携帯電話機の回路構成例を示したブロック図である。
【図３】図１に示したＲＡＭのメモリエリアの構成例を示した模式図である。
【図４】図３に示したデータフォルダ管理テーブルの構成例を示した模式図である。
【図５】図３に示した着信設定テーブルの内容例を示した模式図である。
【図６】図１に示した携帯電話機で撮影した画像（静止画、動画）を着信時に表示させるように着信設定テーブルに設定する概略処理手順を示したフローチャートである。
【図７】図１に示した携帯電話機で撮影した画像（静止画、動画）を着信時に表示させるように着信設定テーブルに設定するための更に詳しい処理手順を示したフローチャートである。
【図８】図１に示した携帯電話機の撮影機能を実際に用いて画像を撮影し、それを着信時の表示画像にする手順を示したフローチャートである。
【図９】図１に示した携帯電話機の撮影機能を実際に用いて画像を撮影し、それを着信時の表示画像にする手順を示したフローチャートである。
【図１０】図１に示した携帯電話機の撮影機能を実際に用いて画像を撮影し、それを着信時の表示画像にする手順を示したフローチャートである。
【図１１】図１に示した携帯電話機の撮影機能を実際に用いて画像を撮影し、それを着信時の表示画像にする手順を示したフローチャートである。
【図１２】図１に示した携帯電話機の撮影機能を実際に用いて画像を撮影し、それを着信時の表示画像にする手順を示したフローチャートである。
【図１３】図１に示したＲＡＭのデータフォルダの格納内容例を示した模式図である。
【図１４】図８に示したステップＳ２０における着信設定テーブルの内容例を示した模式図である。
【図１５】図３に示したデータフォルダに合成画像を格納した際の内容例を示した模式図である。
【図１６】合成画像に著作権が付いていない場合の着信設定テーブルの格納内容例を示した模式図である。
【図１７】合成画像に著作権が付いていない場合で着信時に音声を出力する場合の着信設定テーブルの格納内容例を示した模式図である。
【図１８】合成画像に著作権が付いている場合で着信時に音声を出力する場合の着信設定テーブルの格納内容例を示した模式図である。
【図１９】静止画に動画を合成して作成した合成画像を図３に示した着信設定テーブルに格納した場合の格納内容例を示した模式図である。
【図２０】静止画に音声付きアニメーションを合成して作成した合成画像を図３に示したデータフォルダに格納した場合の格納内容例を示した模式図である。
【図２１】図１に示した携帯電話機で動画像を撮影して得た動画ファイルを図３に示したデータフォルダ格納した場合の格納内容例を示した模式図である。
【図２２】静止画に著作権付きでない動画を合成した合成画像を図３に示したデータフォルダに格納した場合の格納内容例を示した模式図である。
【図２３】図１に示した表示部に表示される静止画に画像を合成する場合の画面例を示した図である。
【図２４】図１に示した表示部に表示される動画に画像を合成する場合の画面例を示した図である。
【図２５】動画に動画を合成した場合に図１に示した表示部に表示される画面例を示した図である。
【図２６】図１に示した携帯電話機で合成画像を呼び出した場合の処理手順を示したフローチャートである。
【図２７】本発明の第２の実施の形態に係る携帯電話機で動画像を着信画像にした場合の着信画像と共に出力する音声を作成する処理を示したフローチャートである。
【図２８】その他の実施例におけるＲＡＭのメモリエリアの構成例を示した模式図である。
【図２９】図２８に示したデータフォルダ管理テーブルの構成例を示した模式図である。
【図３０】その他の実施例における図２８に示したデータフォルダ管理テーブルの構成例を示した模式図である。
【符号の説明】
【０１３５】
１  携帯電話機
１１  アンテナ
１２  スピーカ
１３  表示部
１４  キー操作部
１５  マイク
１６  サブ表示部
１７  背面キー
１８  撮影レンズ
１９  報知スピーカ
２０  無線送受信部
２１  無線信号処理部
２２  制御部
２３  画像圧縮符号化処理部
２４  ＲＯＭ
２５、２６、１９２  ドライバ
２７  加入者情報記憶部
２８  システムＲＯＭ
２９  ＲＡＭ
１４１  メールキー
１４２  アドレスキー
１４３  シャッターキー
１４４  テンキー
１８１  撮影モジュール
１８２  ＤＳＰ
１９１  バイブレータ
２００  音声信号処理部
【図１】
2004194293.tif 000003
【図２】
2004194293.tif 000004
【図３】
2004194293.tif 000005
【図４】
2004194293.tif 000006
【図５】
2004194293.tif 000007
【図６】
2004194293.tif 000008
【図７】
2004194293.tif 000009
【図８】
2004194293.tif 000010
【図９】
2004194293.tif 000011
【図１０】
2004194293.tif 000012
【図１１】
2004194293.tif 000013
【図１２】
2004194293.tif 000014
【図１３】
2004194293.tif 000015
【図１４】
2004194293.tif 000016
【図１５】
2004194293.tif 000017
【図１６】
2004194293.tif 000018
【図１７】
2004194293.tif 000019
【図１８】
2004194293.tif 000020
【図１９】
2004194293.tif 000021
【図２０】
2004194293.tif 000022
【図２１】
2004194293.tif 000023
【図２２】
2004194293.tif 000024
【図２３】
2004194293.tif 000025
【図２４】
2004194293.tif 000026
【図２５】
2004194293.tif 000027
【図２６】
2004194293.tif 000028
【図２７】
2004194293.tif 000029
【図２８】
2004194293.tif 000030
【図２９】
2004194293.tif 000031
【図３０】
2004194293.tif 000032